(57)【特許請求の範囲】
【請求項１】
ポータルサイトを用いてショッピング情報提供サービス、ソーシャルネットワークサービス、ウェブ文書検索サービス、個人ページ管理サービス、決済サービスを少なくとも提供するポータルサイト運用システムに含まれた広告提供システムにおいて、
前記ポータルサイト内で他のユーザと識別可能なＩＤを各ユーザに付与するユーザＩＤ付与手段と、
前記ユーザＩＤ付与手段によって前記ＩＤが付与されたユーザＡに対して個人ページを割り当てる個人ページ付与手段と、
前記個人ページ付与手段によって割り当てられた前記ユーザＡの個人ページＢに前記ユーザＡが前記個人ページＢに入力した商品Ｅに関する情報を受信する商品情報受信部と、
前記受信された個人ページＢに含まれている商品Ｅに関する情報に基づいて前記商品Ｅに関する情報を登録する商品登録部と、
前記登録された商品Ｅに関する情報が前記ソーシャルネットワークサービスを介して自動的にアップロードする商品情報アップロード部と、
前記商品情報アップロード部によってアップロードされた前記商品Ｅに関する情報が前記ユーザＩＤ付与手段によって前記ＩＤが付与されたユーザＣにより前記ソーシャルネットワークサービスを用いてアップロードされたことにより前記ショッピング情報提供サービス、前記ソーシャルネットワークサービス、前記ウェブ文書検索サービス、および前記個人ページ管理サービスのうち少なくとも１つによって表示されたことによって、前記商品Ｅが前記ユーザＩＤ付与手段によって前記ＩＤが付与されたユーザＤによって購入される場合、前記商品Ｅに関する情報をアップロードした前記ユーザＣに予め設定された補償を提供する補償提供部と、
を備えることを特徴とする広告提供システム。
【請求項２】
前記決済サービスは、前記ユーザＩＤ付与手段によって前記ＩＤを付与されたユーザが該ＩＤを用いて商品を購入及び決済できるサービスであって、
前記商品Ｅが販売される場合、前記決済サービスを用いて前記商品の販売による決済を処理する決済処理部をさらに備えることを特徴とする請求項１に記載の広告提供システム。
【請求項３】
前記商品Ｅの購入は前記ユーザＤが前記個人ページＢにアクセスすることにより、前記個人ページＢで行われることを特徴とする請求項１及び請求項２のいずれかに記載の広告提供システム。
【請求項４】
ポータルサイトを用いてショッピング情報提供サービス、ソーシャルネットワークサービス、ウェブ文書検索サービス、個人ページ管理サービス、決済サービスを少なくとも提供するポータルサイト運用システムに含まれた広告提供システムが行う広告提供方法において、
前記ポータルサイト内で他のユーザと識別可能なＩＤを各ユーザに付与するステップと、
前記ＩＤが付与されたユーザＡに対して個人ページＢを割り当てるステップと、
前記個人ページＢを割り当てられたユーザＡが前記個人ページＢに入力した商品Ｅに関する情報を受信するステップと、
前記受信された前記個人ページＢに含まれている商品Ｅに関する情報に基づいて前記商品Ｅに関する情報を登録するステップと、
前記登録された商品Ｅに関する情報が前記ＩＤが付与されたユーザＣにより前記ソーシャルネットワークサービスを用いてアップロードされたことにより、前記商品Ｅが前記ＩＤが付与されたユーザＤにより購入される場合、前記登録された商品Ｅに関する情報をアップロードした前記ユーザＣに予め設定された補償を提供するステップと、
を含むことを特徴とする広告提供方法。
【請求項５】
前記決済サービスは、前記ＩＤを付与されたユーザが該ＩＤを用いて商品を購入及び決済できるサービスであって、
前記商品ＥがユーザＤにより購入される場合、前記決済サービスを用いて前記商品の販売による決済を処理するステップをさらに含むことを特徴とする請求項４に記載の広告提供方法。
【請求項６】
前記予め設定された補償を提供するステップは、前記ＩＤが付与されたユーザであって、前記登録された商品Ｅに関する情報を前記ソーシャルネットワークサービスを用いて最初にアップロードしたユーザに前記予め設定された補償を提供することを特徴とする請求項４及び請求項５のいずれかに記載の広告提供方法。
【請求項７】
前記商品の購入は、前記ユーザＤが前記個人ページＢにアクセスすることにより、前記個人ページＢで行われることを特徴とする請求項４及び請求項５のいずれかに記載の広告提供方法。
【請求項８】
請求項４項から請求項７のいずれか１項に記載の方法を行うプログラムを記録したコンピュータで読み出し可能な記録媒体。
【発明の詳細な説明】
【技術分野】
【０００１】
本発明の実施形態は、一体型マーケットプレイスでアフィリエイトマーケティングサービスを提供する広告提供システム及び方法に関する。
【背景技術】
【０００２】
一般の電子商取引（ｅ−ｃｏｍｍｅｒｃｅ）やｅ−ビジネス（ｅ−ｂｕｓｉｎｅｓｓ）が企業と消費者との間のビジネスをインターネットなどに転換させたものであれば、マーケットプレイス（ｅ−ｍａｒｋｅｔｐｌａｃｅ）は、供給者と消費者との間を繋ぐ中継者の役割をインターネットなどのニューメディアを用いて行うものである。マーケットプレイスは、供給する企業から独立しており（属することなく）、供給者と消費者を結びつけることが最も核心的なことである。主にＢ２Ｂ（企業間の取引）に多く用いられる。収益は取引成功に対するコミッションが重要な部分であり、一部のマーケットプレイスは登録費などの収益モデルを有する場合もある。企業はマーケットプレイスの信頼性を用いて、見たことも聞いたこともない企業との取引に対する危険を減らすことができ、また、マーケットプレイスと企業との間の調達（ｐｒｏｃｕｒｅｍｅｎｔ）システムによってより容易に商品購入が可能になることで多くの費用節減の効果を達成することができる。
【０００３】
図１は、従来技術に係るマーケットプレイスのプラットフォーム構造を説明するための図である。従来技術に係るマーケットプレイスでは販売するための商品の情報を登録する登録プラットフォーム１１０、登録された商品に関する情報をパブリッシングするパブリッシング（ｐｕｂｌｉｓｈｉｎｇ）プラットフォーム１２０、及びアフィリエイトマーケティング（ａｆｆｉｌｉａｔｅ  ｍａｒｋｅｔｉｎｇ）のためのアフィリエイト（ａｆｆｉｌｉａｔｅ）プラットフォーム１３０を示している。アフィリエイトマーケティングは、インターネット上で商取引するマーチャントサイト（すなわち、登録プラットフォーム１１０が運用するサイト）が自分のサイトを広告するアフィリエイト１４０を募集してトラフィックと売り上げを増加させる方式である。例えば、成果当たり広告（ｐａｙ−ｆｏｒ−ｐｅｒｆｏｒｍａｎｃｅ）のように、提携サイトを介して実績が発生したときアフィリエイト１４０に広告費を支払うことを特徴とする。
【０００４】
ここで、登録プラットフォーム１１０は、オークション（ａｕｃｔｉｏｎ）やｅＢａｙのようなオンライン競売、インターネットショッピングモール会社のシステムによって運用され、パブリッシングプラットフォーム１２０は個人ホームページサービスを提供するシステムやカフェ、ブログまたはミニホームページなどを提供するポータルサイトのシステム、またはリワードサイト（ｒｅｗａｒｄ  ｓｉｔｅ）のシステムによって運用される。また、アフィリエイトプラットフォーム１３０は、アフィリエイトマーケティングを提供する業者のシステムによって運用される。すなわち、従来技術では、各プラットフォームが互いに異なる別個のシステムとして運用される。
【発明の概要】
【発明が解決しようとする課題】
【０００５】
本発明は、一体型マーケットプレイスを効率的に提供することのできるシステム及び方法を提供する。
【０００６】
本発明の目的は、商品の登録、表示、販売、決済を統合的に処理して一体型マーケットプレイス（ｉｎｔｅｇｒａｔｅｄ  ｅ−ｍａｒｋｅｔｐｌａｃｅ）を提供することのできる広告提供システム及び方法を提供する。
【０００７】
本発明の目的は、ポータルサイトを運用するポータルサイト運用システムで提供するサービスを活用して商品の登録、表示、販売、決済を統合的に処理することのできる広告提供システム及び方法を提供する。
【０００８】
本発明の目的は、商品の登録、表示、販売、決済を統合的に処理して一体型マーケットプレイスを提供すると同時に、アフィリエイトマーケティングのためのアフィリエイトプラットフォームを用いてアフィリエイトとして活動する会員に予め設定された補償を提供することによって、広告効果を増大させることのできる広告提供システム及び方法を提供する。
【課題を解決するための手段】
【０００９】
ポータルサイトを用いてショッピング情報提供サービス、ソーシャルネットワークサービス、ウェブ文書検索サービス、個人ページ管理サービス、決済サービスを少なくとも提供するポータルサイト運用システムに含まれた広告提供システムは、個人ページ管理サービスによってポータルサイトの会員として加入したユーザに割り当てられた個人ページに入力される商品に関する情報を受信する商品情報受信部と、受信された商品に関する情報に基づいて商品を登録する商品登録部と、登録された商品に関する情報がソーシャルネットワークサービスによってアップロードされ、アップロードされた情報を用いて商品が販売される場合、情報をアップロードしたユーザに予め設定された補償を提供する補償提供部とを備える広告提供システムが提供される。
【００１０】
一実施形態によると、広告システムは、登録された商品に関する情報が個人ページ、ショッピング情報提供サービス、ソーシャルネットワークサービス及びウェブ文書検索サービスのうち少なくとも１つによって表示されて商品が販売される場合、決済サービスを用いて商品の販売による決済を処理する決済処理部をさらに備えてもよい。
【００１１】
他の一実施形態によると、情報をアップロードしたユーザは、ポータルサイトの会員として加入した他のユーザ及び決済サービスの会員に加入した他のユーザのうち少なくとも１つのユーザを含んでもよい。
【００１２】
他の一実施形態によると、補償提供部は、登録された商品に関する情報をソーシャルネットワークサービスに最初アップロードしたユーザに予め設定された補償を提供してもよい。
【００１３】
他の一実施形態によると、商品の販売は個人ページで行われてもよい。
【００１４】
ポータルサイトを用いてショッピング情報提供サービス、ソーシャルネットワークサービス、ウェブ文書検索サービス、個人ページ管理サービス、決済サービスを少なくとも提供するポータルサイト運用システムに含まれた広告提供システムが行う広告提供方法は、個人ページ管理サービスによってポータルサイトの会員として加入したユーザに割り当てられた個人ページに入力される商品に関する情報を受信するステップと、受信された商品に関する情報に基づいて商品を登録するステップと、登録された商品に関する情報がソーシャルネットワークサービスによってアップロードされ、アップロードされた情報を用いて商品が販売される場合、情報をアップロードしたユーザに予め設定された補償を提供するステップとを含む広告提供方法が提供される。
【発明の効果】
【００１５】
本発明によると、商品の登録、表示、販売、決済を統合的に処理して一体型マーケットプレイスを提供することができる。
【００１６】
本発明によると、ポータルサイトを運用するポータルサイト運用システムで提供するサービスを活用して商品の登録、表示、販売、決済を統合的に処理することができる。
【００１７】
本発明によると、商品の登録、表示、販売、決済を統合的に処理して一体型マーケットプレイスを提供すると同時に、アフィリエイトマーケティングのためのアフィリエイトプラットフォームを用いてアフィリエイトとして活動する会員に予め設定された補償を提供することによって、広告効果を増大させることができる。
【図面の簡単な説明】
【００１８】
【図１】従来技術に係るマーケットプレイスのプラットフォーム構造を説明するための図である。
【図２】本発明の一実施形態に係るポータルサイト運用システム及び広告提供システムの概略を示す図である。
【図３】本発明の一実施形態に係る広告提供方法の概略を示す図である。
【図４】本発明の一実施形態に係るソーシャルネットワークサービスによって商品に関する情報を流通する過程を示す一例である。
【図５】本発明の一実施形態に係るプラットフォーム構造を説明するための図である。
【図６】本発明の一実施形態に係る広告提供システムの内部構成を説明するためのブロック図である。
【図７】本発明の一実施形態に係る広告提供方法を示すフローチャートである。
【発明を実施するための形態】
【００１９】
以下、本発明の実施形態について添付の図面を参照しながら詳細に説明する。
【００２０】
本発明の実施形態は、広告提供システム及び広告提供システムが行う広告提供方法に関し、上述した広告提供システムは、ポータルサイトのようにユーザに様々なサービスを提供するポータルサイト運用システムであるか、ポータルサイト運用システムに含まれたシステムであってもよい。
【００２１】
図２は、本発明の一実施形態に係るポータルサイト運用システム及び広告提供システムの概略を示す図である。図２では、ポータルサイト運用システム２１０に広告提供システム２２０が含まれている。ここで、ポータルサイト運用システム２１０は、ユーザ端末２３０を用いてアクセスをリクエストするユーザにポータルサイト２４０を提供してもよく、ポータルサイト２４０を介して様々なサービスが提供されてもよい。
【００２２】
ポータルサイト２４０によってユーザに提供される様々なサービスは、ショッピング情報提供サービス、ウェブ文書の検索サービス、個人ページ管理サービス、ソーシャルネットワークサービス、決済サービスなどに対応してもよい。ここで、ショッピング情報提供サービスはショッピングのための商品検索サービスを、ウェブ文書の検索サービスは入力されたキーワードに対応する特定ウェブ文書を検索して提供するサービスを、個人ページ管理サービスはブログ、カフェまたはミニホームページのように会員として加入した個人ユーザに特定ＵＲＬのページを割当及び管理するサービスをそれぞれ意味する。ここで、ウェブ文書の検索サービスが提供するウェブ文書には検索広告のためのウェブ文書が含まれてもよい。また、ソーシャルネットワークサービスは、ウェブ上で利用者が人的ネットワークを形成できるようにするサービスを意味する。このような、ソーシャルネットワークサービスは、個人的ウェブサービス（Ｐｅｒｓｏｎａｌ  Ｗｅｂ  Ｅｎｖｉｒｏｎｍｅｎｔ、ＰＷＥ）と組み合わせたり、上述した個人ページ管理サービスと連携してもよい。
【００２３】
ここで、広告提供システム２２０は、ポータルサイト運用システム２１０に含まれるシステムとして上述したショッピング情報提供サービス、ウェブ文書の検索サービス、個人ページ管理サービス、ソーシャルネットワークサービス、決済サービスのうち少なくとも１つのサービスを直接提供したり、または、少なくとも１つのサービスに関連してもよい。このような広告提供システム２２０は、会員として加入したユーザに割り当てられる個人ページを介して商品の登録を受け、商品が登録された個人ページや商品に関する情報を上述した様々なサービスの少なくとも１つを用いてユーザに表示してもよい。
【００２４】
すなわち、ポータルサイト２４０及びポータルサイト２４０を用いて提供される様々なサービスが広告提供システム２２０を通して一体型マーケットプレイス（ｉｎｔｅｇｒａｔｅｄ  ｅ−ｍａｒｋｅｔ  ｐｌａｃｅ）のために活用されてもよい。
【００２５】
また、広告提供システム２２０は、商品が登録された個人ページや商品に関する情報が上述したソーシャルネットワークサービスによってアップロードされ、アップロードされた情報を用いて商品を購入する場合、情報をアップロードしたユーザに予め設定された補償を提供してもよい。すなわち、広告提供システム２２０は、アフィリエイトマーケティングのためのアフィリエイトプラットフォームを含んでもよい。ここで、アフィリエイトマーケティングのためのメインパブリッシャもポータルサイト２４０によって提供される様々なサービスを活用してもよい。
【００２６】
例えば、広告提供システム２２０またはポータルサイト運用システム２１０が提供するソーシャルネットワークサービスのサービスＡが存在すると仮定する。また、ユーザｂの個人ページＢに登録された商品、または商品が登録された個人ページＢに関する情報をユーザｃがサービスＡによってアップロードしたと仮定する。ここで、アップロードされた情報を用いてユーザｄが個人ページＢを訪問して商品を購入した場合、情報をアップロードしたユーザｃに予め設定された補償が提供されてもよい。
【００２７】
また、前述したように、ソーシャルネットワークサービスは、ブログやカフェまたはミニホームページのような個人ページを提供及び管理する個人ページ管理サービスに連動されてもよい。ここで、商品の購入そのものは最初の商品が登録された個人ページを用いて行なわれてもよい。すなわち、ソーシャルネットワークサービスによってアップロードされる情報には商品が最初に登録された個人ページへのリンクを含んでもよい。上述した例として、ユーザｂの個人ページＢに登録された商品に関する情報をユーザｃがユーザｃの個人ページＣにスクラップ（アップロード）したと仮定する。ここで、スクラップされた商品の情報には個人ページＢへのリンクが設定されてもよい。この場合、個人ページＣに訪問したユーザｄがリンクを用いて個人ページＢに訪問して商品を購入する場合、広告提供システム２２０はユーザｃに予め設定された補償を提供してもよい。
【００２８】
予め設定された補償は、クーポンやポータルサイト運用システム２１０が管理する積立金などの形態で提供されてもよく、必要に応じて、最初に情報をソーシャルネットワークサービスや個人ページでアップロードしたユーザにのみ提供されてもよい。本明細書において「積立金」とは、現実世界で用いられる貨幣の単位として表現されるが、必要に応じて現実世界で用いられる貨幣と対応するポイントやマイレージなどのサイバー貨幣を代わりに用いてもよい。サイバー貨幣の場合、例えば、現実世界で実際に用いられる貨幣の単位と１：１の比率の価値を有するサイバー貨幣、または１：１０の比率の価値を有するサイバー貨幣などのように、必要に応じて自由に設定できる。
【００２９】
図３は、本発明の一実施形態に係る広告提供方法の概略的な形状を示す図である。まず、ユーザ３１０は、ユーザ３１０に割り当てられた個人ページ３２０を用いて商品を登録してもよい。ここで、本実施形態に係る広告提供システムは、様々なサービス３３０によって商品または個人ページ３２０に関する情報を表示してもよい。例えば、広告提供システムは、ショッピング情報提供サービスを用いて商品検索するときに情報を表示したり、ウェブ文書検索サービスを用いて検索結果に情報を含めて表示してもよい。また、広告提供システムは、個人ページ管理サービスを用いて他のカフェやブログ、ミニホームページなどを用いて情報を表示してもよく、ソーシャルネットワークサービスによって情報を表示してもよい。それだけではなく、広告提供システムは、外部広告３４０によって情報を表示してもよい。ここで、外部広告３４０は、他のポータルサイトや他のパブリッシャを意味する。
【００３０】
本明細書において、「パブリッシャ」という用語は「ウェブサイト」という用語に置換して用いてもよい。ただし、ウェブサイトという用語を用いた説明によって、モバイル端末で実行されるアプリケーション画面など、一般的なパーソナルコンピュータ（ＰＣ）のウェブサイト接続ではない環境において本発明が実施される可能性が排除されることはない。逆に、「ウェブサイト」という用語は、パブリッシングサイトまたは上述したパブリッシャという用語に互換されて用いられてもよい。言い換えれば、それぞれのウェブサイトは個別パブリッシャに対応してもよい。ここで、「ウェブサイト」という用語は広告の表示が可能であり、有線または無線ネットワークを介してユーザに提供可能な全ての種類のウェブサイトを含んでもよく、ウェブサイトを構成している１つのウェブページを意味する。また、広告や商品などの情報を「表示」することは、ウェブサイト（パブリッシャ）によってその広告主に関連するテキスト、イメージなど、声、動画、ハイパーリンクなどの広報性コンテンツが当該ウェブサイトの訪問者に提供されることを含むものと解釈されてもよい。また、表示した広告に対する「選択」は、ユーザ（ウェブサイト訪問者）が提供されたテキスト、イメージなどの広報性コンテンツに対してユーザ（ウェブサイト訪問者）がマウスクリックなどの反応を示すことによって、広告主が広報性のあるコンテンツの伝達によって達成しようとする状況が発生したことを意味する。ここで、広告主が広報性のあるコンテンツの伝達によって達成しようとする状況とは、例えば、広告主に関連するページが広告を選択したユーザに表示される状況を含んでもよい。
【００３１】
ここで、表示された情報は他のユーザによって購読されてもよい。すなわち、表示された情報に対する購読を申請したユーザには、個人的ウェブサービス３５０によってユーザの個人的な領域空間に情報が提供されてもよく、ユーザは個人的な領域空間に提供された情報を容易に確認することができる。ここで、個人的な空間は個々人のウェブの格納空間を提供し、家計簿サービスやカレンダーサービスまたは日程管理などが可能な個人別ウェブページを介して提供されるウェブ上の空間を意味する。すなわち、ユーザはこのような個人別ウェブページに提供される情報を有線または無線インターネットの接続可能ないずれの環境でも容易かつ手軽に確認することができる。購読される情報は、ユーザによって設定される条件に応じて周期的に、または設定された条件に該当するとき個人空間に提供されてもよい。
【００３２】
また、表示された情報は、他のユーザによってソーシャルネットワークサービス３６０や個人ページ３７０を用いてアップロード（スプレッド）してもよい。すなわち、一回表示された情報が他のユーザによって更なるユーザに２次的に表示されてもよい。この場合、広告提供システムは情報をアップロードした他のユーザに予め設定された補償を提供してもよい。
【００３３】
ここで、図３にはソーシャルネットワークサービス３６０と個人ページ３７０を別に表示したが、ブログやカフェ、ミニホームページなどの個人ページ３７０も他のユーザと人的関係を形成するという点でソーシャルネットワークサービス３６０に含まれてもよい。また、ソーシャルネットワークサービス３６０によって商品に関する情報をアップロードすることはメールを用いて商品に関する情報を伝達することも含んでもよい。
【００３４】
再び図２を参照して説明すると、決済サービスはチェックアウト決済サービスを含んでもよい。ここで、チェックアウト決済サービスは、ポータルサイトが提供する決済サービスに加入したユーザがポータルサイトのＩＤ１つで便利に商品を購入及び決済できるようにサポートするサービスを意味する。商品の登録された個人ページにおける商品購入もこのようなチェックアウト決済サービスを用いて決済してもよい。このようなチェックアウト決済サービスは、上述した積立金やクーポンなどを用いた決済もサポートしてもよい。
【００３５】
すなわち、本発明の実施形態に係る広告提供システムを利用すれば、商品の登録、表示、販売、決済全般の過程を統合的に処理できるだけではなく、商品に対するアフィリエイトマーケティングも統合的に１つのシステムで処理可能になる。
【００３６】
図４は、本発明の一実施形態に係るソーシャルネットワークサービスによって商品に関する情報を流通する過程を示す一例である。
【００３７】
ユーザ４１０は、様々なサービスによって表示された商品に関する情報４２０を個人化ウェブサービスによって購読したり、または、ソーシャルネットワークサービスによってアップロードしてもよい。ここで、情報４２０は、ブログ、カフェ、ニュース、ウェブアニメ（ｗｅｂ  ｃａｒｔｏｏｎ）、ショッピングなどの様々な経路で表示されてもよい。ここで、セルブログ４２１は情報４２０が登録された個人ページを意味する。ここで、ユーザ４１０に個人的ウェブサービスによって購読された情報もユーザ４１０によってソーシャルネットワークサービスを用いてアップロードされてもよい。または、ユーザ４１０の選択に応じて、自動的にソーシャルネットワークサービスを用いてアップロードされるように設定されてもよい。ソーシャルネットワークサービスによってアップロードされた情報４２０は、ユーザ４１０と人的関係を形成した他のユーザ４３０に表示されてもよく、他のユーザ４３０のうち少なくとも１つのユーザが表示した情報４２０によって商品を購入する場合、ユーザ４１０には予め設定された補償が提供されてもよい。ここで、商品の購入は、セルブログ４（ｃｅｌｌ  ｂｌｏｇ）２１で発生する購入に限定されてもよい。すなわち、ユーザ４１０が別途の会員に加入することなく一体型マーケットプレイス内でアフィリエイトとして活動できるようになる。
【００３８】
図５は、本発明の一実施形態に係るプラットフォーム構造を説明するための図である。このように、本発明の実施形態では販売するための商品の情報を登録する登録プラットフォーム５１０と、登録された商品に関する情報をパブリッシングするパブリッシングプラットフォーム５２０、及びアフィリエイト５３０の実績を管理して収益を配分するアフィリエイトプラットフォーム５４０が１つのシステムに含まれてもよい。すなわち、１つのシステムによって商品の登録、表示、販売、決済、収益配分全般に係る過程が統合的に行われてもよい。すなわち、１つのポータルサイトに提供される様々なサービスを用いて一体型マーケットプレイスを提供することができる。
【００３９】
登録プラットフォーム５１０は、セルブログを用いて登録される商品の詳細情報がさらに入力されて管理してもよく、ユーザの商品に対する関心現況や購入評価などを管理してもよい。また、登録プラットフォーム５１０は、イベントや企画展に関する情報が入力されて管理され、セルブログを用いて表示してもよい。
【００４０】
ここで、パブリッシングプラットフォーム５２０は、ブログやカフェ、ミニホームページまたはメールなどを用いた直接的な商品広告だけではなく、バズマーケティング（ｂｕｚｚ  ｍａｒｋｅｔｉｎｇ）またはバイラルマーケティング（ｖｉｒａｌ  ｍａｒｋｅｔｉｎｇ）によって商品に関する情報を２次広報するためにソーシャルネットワークサービスと連動されてもよい。このようなパブリッシングプラットフォーム５２０は、ブログやカフェ、ミニホームページ、メールまたはソーシャルネットワークサービスによって商品やセルブログに関する情報を表示することで、セルブログでトラフィックを提供してもよい。すなわち、セルブログにユーザを流入させて商品の購入を誘導する広告提供の役割を行うことができる。
【００４１】
アフィリエイト５３０は、基本的に図２を参照して説明したポータルサイト運用システム２１０の会員であってもよいが、必要に応じて、ポータルサイト運用システム２１０が提供する決済サービスのチェックアウト決済サービスの会員に限定されてもよい。
【００４２】
アフィリエイトプラットフォーム５４０は、このようなアフィリエイト５３０の実績を管理して収益を配分してもよい。すなわち、商品に関する情報をソーシャルネットワークサービスによってアップロードし、商品の購入を誘導したアフィリエイト５３０には、積立金やクーポンのような予め設定された補償が提供されてもよい。すなわち、決済サービスの会員が自発的に人的関係を形成した他のユーザに商品に関する情報を２次広報するように誘導してもよい。
【００４３】
図６は、本発明の一実施形態に係る広告提供システムの内部構成を説明するためのブロック図である。本実施形態に係る広告提供システム６００は、ポータルサイトを用いてショッピング情報提供サービス、ソーシャルネットワークサービス、ウェブ文書検索サービス、個人ページ管理サービス、決済サービスを少なくとも提供するポータルサイト運用システムに含まれたシステムである。このような広告提供システム６００は、図６に示すように商品情報受信部６１０、商品登録部６２０及び補償提供部６３０を備えてもよい。
【００４４】
商品情報受信部６１０は、個人ページ管理サービスによってポータルサイトの会員として加入したユーザに割り当てられた個人ページに入力される商品に関する情報を受信する。一例として、個人ページは、ブログ、カフェ及びミニホームページのうち少なくとも１つに対応してもよく、個人ページ管理サービスは、このようなブログ、カフェ及びミニホームページのうち少なくとも１つを管理するサービスであってもよい。すなわち、ポータルサイトに会員として加入したユーザにはこのような個人ページが割り当てられてもよく、個人ページを介して自身の商品を販売したいユーザは個人ページに商品に関する情報を入力して自身の商品を登録してもよい。
【００４５】
商品登録部６２０は、受信された商品に関する情報に基づいて商品を登録する。登録された商品は、ポータルサイトが提供する様々なサービスを用いて他のユーザに表示されてもよい。
【００４６】
補償提供部６３０は、登録された商品に関する情報がソーシャルネットワークサービスを用いてアップロードされ、アップロードされた情報を用いて商品が販売される場合、情報をアップロードしたユーザに予め設定された補償を提供する。ここで、情報をアップロードしたユーザは、ポータルサイトの会員として加入した他のユーザ及び決済サービスの会員に加入した他のユーザのうち少なくとも１つのユーザを含んでもよい。また、補償提供部６３０は、登録された商品に関する情報をソーシャルネットワークサービスに最初アップロードしたユーザに予め設定された補償を提供してもよい。
【００４７】
ここで、広告提供システム６００は、登録された商品に関する情報が個人ページ、ショッピング情報提供サービス、ソーシャルネットワークサービス及びウェブ文書検索サービスのうち少なくとも１つによって表示され、商品が販売される場合に決済サービスを用いて商品の販売による決済を処理する決済処理部（図示せず）をさらに備えてもよい。
【００４８】
すなわち、広告提供システム６００は、ポータルサイトを介して提供される様々なサービスを用いて商品の登録、表示、販売全般に係る過程を統合的に処理する一体型マーケットプレイスを提供できるだけではなく、アフィリエイトマーケティングのためのアフィリエイトプラットフォームをさらに含んで既存の会員が別途の加入手続なくてもアフィリエイトとして活動することを可能にする。
【００４９】
また、商品の販売は、最初の商品を登録するために商品に関する情報が登録された個人ページで行われてもよい。例えば、他の経路を介して商品が表示される場合、表示される情報には個人ページへのリンクが含まれてもよく、商品の購入がリクエストされる場合、自動的に個人ページが商品の購入をリクエストしたユーザに提供されてもよい。この場合、個人ページで商品の購入を行なってもよく、決済処理部（図示せず）は商品の販売による決済を決済サービスを用いて処理してもよい。ここで、決済サービスは、すでに説明したようにチェックアウト決済サービスを含んでもよい。
【００５０】
図７は、本発明の一実施形態に係る広告提供方法を示すフローチャートである。本実施形態に係る広告提供方法は、図６を参照して説明した広告提供システム６００によって行われてもよい。
【００５１】
ステップＳ７１０において、広告提供システム６００は、個人ページ管理サービスによってポータルサイトの会員として加入したユーザに割り当てられた個人ページに入力される商品に関する情報を受信する。一例として、個人ページは、ブログ、カフェ及びミニホームページのうち少なくとも１つに対応してもよく、個人ページ管理サービスは、このようなブログ、カフェ及びミニホームページのうち少なくとも１つを管理するサービスであってもよい。すなわち、ポータルサイトに会員として加入したユーザにはこのような個人ページが割り当てられてもよく、個人ページを介して自身の商品を販売したいユーザは、個人ページで商品に関する情報を入力して自身の商品を登録してもよい。
【００５２】
ステップＳ７２０において、広告提供システム６００は、受信された商品に関する情報に基づいて商品を登録する。登録された商品は、ポータルサイトが提供する様々なサービスを用いて他のユーザに表示されてもよい。
【００５３】
ステップＳ７３０において、広告提供システム６００は、登録された商品に関する情報がソーシャルネットワークサービスによってアップロードされ、アップロードされた情報を用いて商品が販売される場合、情報をアップロードしたユーザに予め設定された補償を提供する。ここで、情報をアップロードしたユーザは、ポータルサイトの会員として加入した他のユーザ及び決済サービスの会員に加入した他のユーザのうち少なくとも１つのユーザを含んでもよい。また、広告提供システム６００は、登録された商品に関する情報をソーシャルネットワークサービスに最初アップロードしたユーザに予め設定された補償を提供してもよい。
【００５４】
ここで、広告提供システム６００は、登録された商品に関する情報が個人ページ、ショッピング情報提供サービス、ソーシャルネットワークサービス及びウェブ文書検索サービスのうち少なくとも１つによって表示されて商品が販売される場合、決済サービスを用いて商品の販売による決済を処理するステップ（図示せず）をさらに行なってもよい。すなわち、決済を処理するステップを広告提供方法にさらに含んでもよい。
【００５５】
このように、広告提供システム６００は、ポータルサイトを介して提供される様々なサービスを用いて商品の登録、表示、販売全般に係る過程を統合的に処理する一体型マーケットプレイスを提供できるだけではなく、アフィリエイトマーケティングのためのアフィリエイトプラットフォームをさらに含んで既存の会員が別途の加入手続なくてもアフィリエイトとして活動することを可能にする。
【００５６】
また、商品の販売は、最初商品の登録のために商品に関する情報が登録された個人ページで行われてもよい。例えば、他の経路を介して商品が表示される場合、表示される情報には個人ページへのリンクが含まれてもよく、商品の購入がリクエストされる場合、自動的に個人ページが商品の購入をリクエストしたユーザに提供されてもよい。この場合、個人ページで商品の購入を行なってもよく、広告提供システム６００は商品の販売による決済を決済サービスを用いて処理してもよい。ここで、決済サービスはすでに説明したようにチェックアウト決済サービスを含んでもよい。
【００５７】
図６及び図７で省略した内容は図２から図５の内容を参照してもよい。
【００５８】
このように、本発明の実施形態によると、商品の登録、表示、販売、決済を統合的に処理して一体型マーケットプレイスを提供してもよい。また、ポータルサイトを運用するポータルサイト運用システムに提供するサービスを活用して、商品の登録、表示、販売、決済を統合的に処理してもよい。また、商品の登録、表示、販売、決済を統合的に処理して一体型マーケットプレイスを提供すると同時に、アフィリエイトマーケティングのためのアフィリエイトプラットフォームを用いてアフィリエイトとして活動する会員に予め設定された補償を提供することで、広告効果を増大させることができる。
【００５９】
本発明の実施形態に係る方法は、様々なコンピュータ手段によって実行されることができるプログラム命令形態で実現され、コンピュータで読み取り可能な媒体に記録されることができる。コンピュータで読み取り可能な媒体は、プログラム命令、データファイル、データ構造などを単独または組み合わせて含むことができる。媒体に記録されるプログラム命令は、本発明のために特別に設計されて構成されたものであってもよく、コンピュータソフトウェア当業者に公示されて使用可能なものであってもよい。
【００６０】
上述したように、本発明は限定された実施形態と図面によって説明されたが、本発明が上述した実施形態に限定されるものではなく、本発明が属する分野において通常の知識を有する者であれば、このような記載から多様な修正および変形が可能である。
【００６１】
したがって、本発明の範囲は上述した実施形態に限定されて定められてはならず、添付の特許請求の範囲だけではなく、この特許請求の範囲と均等なものによって定められなければならない。
【符号の説明】
【００６２】
２１０      ポータルサイト運用システム
２２０      広告提供システム
２３０      ユーザ端末
２４０      ポータルサイト
【図１】
0005916636.tif 000002
【図２】
0005916636.tif 000003
【図３】
0005916636.tif 000004
【図４】
0005916636.tif 000005
【図５】
0005916636.tif 000006
【図６】
0005916636.tif 000007
【図７】
0005916636.tif 000008